【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
複数の塩粒子によって表面に機械的に激突するクリーニングシステムであって、前記クリーニングシステムは、
アプリケーターユニットと、
フィルターユニットと、
真空ユニットと
を含み、
前記アプリケーターユニットは、伸縮自在のアームおよびバッファーユニットを備えたモジュラーアームユニットを含み、
前記伸縮自在のアームは、テレスコープ式の導管を形成する複数のセクションと、前記アームの第１の長手方向の端部におけるアプリケーションヘッドと、前記フィルターユニットへの動作可能な接続のための、前記アームの第２の長手方向の端部における出口部とを含み、
前記テレスコープ式の導管のセクションは、ガイドアームに沿って長手方向に、前記第２の長手方向の端部に対して並進可能になっており、
前記アプリケーションヘッドは、封じ込めフードおよび排出マニホールドを含み、前記封じ込めフードは、内側体積部を囲み、また、前記テレスコープ式の導管を含む通路を介して、前記アームの前記第２の長手方向の端部において前記出口部と動作可能な接続をしているベース端部と、前記内側体積部への開口部を有する遠位端部とを有しており、前記排出マニホールドは、前記複数の塩粒子のための貯蔵体積部に動作可能な接続をしている入口端部における入口ポートと、排出端部における排出ポートのアレイと、前記入口ポートおよび前記排出ポートのアレイと動作可能に連通している複数の排出ラインとを有しており、
前記アプリケーターユニット、前記フィルターユニット、および前記真空ユニットは、前記アプリケーターユニットの前記アプリケーションヘッドの前記排出マニホールドを出て行く前記複数の塩粒子を前記フィルターユニットに引き込むように接続可能になっている、クリーニングシステム。
【請求項２】
供給ラインは、前記貯蔵体積部を前記排出マニホールドに動作可能に接続しており、前記テレスコープ式の導管は、前記封じ込めフードの前記内側体積部を、前記アームの前記第２の長手方向の端部における前記出口部に動作可能に接続している戻りラインの少なくとも一部分を形成しており、前記テレスコープ式の導管の少なくとも一部分は、前記供給ラインの長さの少なくとも一部分を取り囲んでいる、請求項１に記載のクリーニングシステム。
【請求項３】
前記アプリケーターユニットは、前記複数の塩粒子のための前記貯蔵体積部に圧縮空気を接続するための接続部を含む発射ユニットを含む、請求項１または２に記載のクリーニングシステム。
【請求項４】
前記アプリケーターユニットは、位置決めサポート構造体を含み、発射ユニットに対する前記伸縮自在のアームの位置は、前記位置決めサポート構造体を使用して調節可能である、請求項３に記載のクリーニングシステム。
【請求項５】
複数のガイドロッドは、前記テレスコープ式の導管を形成する前記複数のセクションのうちの１つに固定して取り付けられており、前記テレスコープ式の導管を形成する前記複数のセクションのうちの他のものと関連付けられたガイド孔の中をスライド可能に移動する、請求項１から４のいずれか一項に記載のクリーニングシステム。
【請求項６】
前記アームの長さに沿った前記供給ラインの前記長さの少なくとも一部分は、前記アームの外部に位置付けされている、請求項１から５のいずれか一項に記載のクリーニングシステム。
【請求項７】
前記アームの長さに沿った前記供給ラインの長さ全体が、前記アームの外部に位置付けされている、請求項１から５のいずれか一項に記載のクリーニングシステム。
【請求項８】
複数の塩粒子によって表面に機械的に激突するクリーニングシステムであって、前記クリーニングシステムは、
アプリケーターユニットと、
フィルターユニットと、
真空ユニットと
を含み、
前記アプリケーターユニットは、導管を備えたアームを含む位置決めサポート構造体を含み、前記導管は、前記アームの第１の長手方向の端部におけるアプリケーションヘッドと、前記フィルターユニットへの動作可能な接続のための、前記アームの第２の長手方向の端部における出口部とを接続しており、
前記アームは、複数の装着構造体によってガイドアームサポートベースの上に支持されており、前記ガイドアームサポートベースに対して長手方向に並進可能になっており、
前記アプリケーションヘッドは、封じ込めフードおよび排出マニホールドを含み、前記封じ込めフードは、内側体積部を囲み、また、前記導管と動作可能な接続をしているベース端部と、前記内側体積部への開口部を有する遠位端部とを有しており、前記排出マニホールドは、前記複数の塩粒子のための貯蔵体積部に動作可能な接続をしている入口端部における入口ポートと、排出端部における排出ポートのアレイと、前記入口ポートおよび前記排出ポートのアレイと動作可能に連通している複数の排出ラインとを有しており、
前記アプリケーターユニット、前記フィルターユニット、および前記真空ユニットは、前記アプリケーターユニットの前記アプリケーションヘッドの前記排出マニホールドを出て行く前記複数の塩粒子を前記フィルターユニットに引き込むように取り付け可能になっている、クリーニングシステム。
【請求項９】
前記複数の塩粒子は、炭酸ナトリウム（Ｎａ２ＣＯ３）、重炭酸ナトリウム（ＮａＨＣＯ３）、リン酸一カルシウム（Ｃａ（Ｈ２ＰＯ４）２）、リン酸二カルシウム（ＣａＨＰＯ４）、およびリン酸三カルシウム（Ｃａ３（ＰＯ４）２）のうちの１つまたは複数を含む組成を有している、請求項１から８のいずれか一項に記載のクリーニングシステム。
【請求項１０】
前記クリーニングシステムは、ドライ環境である、請求項１から９のいずれか一項に記載のクリーニングシステム。
【請求項１１】
前記アプリケーターユニットは、前記複数の塩粒子のための前記貯蔵体積部に圧縮空気を接続するための接続部を含む発射ユニットを含む、請求項８から１０のいずれか一項に記載のクリーニングシステム。
【請求項１２】
柔軟なシールは、前記封じ込めフードの前記遠位端部の表面の上に位置決めされている、または、前記封じ込めフードの前記遠位端部は、フレア付きの縁部を有している、請求項１から１１のいずれか一項に記載のクリーニングシステム。
【請求項１３】
前記クリーニングシステムは、オープンループシステムである、請求項１から１２のいずれか一項に記載のクリーニングシステム。
【請求項１４】
請求項４または８に記載のクリーニングシステムによって食品関連の機器の表面をクリーニングする方法であって、前記方法は、
前記アプリケーションヘッドの前記封じ込めフードの前記遠位端部の中の前記開口部を、クリーニングされることとなる食品関連の機器の前記表面の上方に位置付けするように、前記アプリケーターユニットの前記アームを位置決めすることであって、前記位置決めすることは、前記テレスコープ式のセクションを並進させること、前記非テレスコープ式の導管を並進させること、および、前記位置決めサポート構造体を枢動させることのうちの１つまたは複数を含み、前記クリーニングされることとなる表面が、前記排出マニホールドの前記排出ポートのアレイを出て行く前記塩の激突ゾーンの中に位置付けされるようになっている、ことと、
前記封じ込めフードの内側体積部の上に吸引力が引き込まれるように、前記クリーニングされることとなる表面に対して前記封じ込めフードの前記遠位端部の前記表面を位置決めすることによって、前記激突ゾーンをシールすることと、
前記供給ラインを通して前記排出マニホールドへ塩を送ることと、
前記激突ゾーンの中に位置付けされている前記クリーニングされることとなる表面に衝突するように、前記排出マニホールドから塩を排出することと、
前記封じ込めフードの前記内側体積部に吸引力を印加し、前記排出された塩を前記テレスコープ式のまたは非テレスコープ式の導管を通して前記フィルターユニットへ引き込むことによって、前記排出された塩を前記フィルターユニットの中に収集することと
を含む、方法。
【請求項１５】
前記食品関連の機器の前記表面に対して前記激突ゾーンを移動させることによって、前記クリーニングされることとなる表面を変更させることをさらに含む、請求項１４に記載の方法。
【請求項１６】
前記食品関連の機器の前記表面に対して前記激突ゾーンを移動させることは、（ａ）前記アプリケーターアームを並進させること、（ｂ）前記アプリケーターアームを枢動させること、（ｃ）前記食品関連の機器の前記表面を移動させるように、コンベヤーベルトシステムを動作させることのうちの１つまたは複数を含む、請求項１５に記載の方法。
【請求項１７】
前記塩粒子の運動エネルギー、および、前記塩と異物との化学反応の組み合わせが、前記クリーニングされることとなる表面をクリーニングする、請求項１４から１６のいずれか一項に記載の方法。
【請求項１８】
前記アプリケーションヘッドの前記封じ込めフードの前記遠位端部の中の前記開口部の下方に、および、前記遠位端部の中の前記開口部から間隔を離して、収集手段を位置決めすることと、
（ａ）前記排出された塩の少なくとも一部分を前記収集手段の中に収集すること、および、（ｂ）前記収集された排出された塩を前記収集手段から離れるように搬送し、前記排出された塩を処理、廃棄、またはリサイクルすることのうちの１つまたは複数
を含む、請求項１４から１７のいずれか一項に記載の方法。